(57)【要約】      （修正有）【課題】発光ダイオード等の発光体を用い、側方からだけでなく、後方からでも発光が容易に視認し得る適切なスピニングリールを提供する。また、発光させるための電池、発光体、リードスイッチ、音響警報器等の必要部品の設置や取り扱いが不便なため、古くからその解決が望まれ、使い勝手が良く、堅牢で、しかも安価で、小型のスピニングリールの提供。【解決手段】スピニングリールのローターに設けられた一対のアーム基端部に発光体4を、ローター頭部に電池を、ローター内壁面にリードスイッチ14を設けると共に、ローターに外挿されるスプールのスカート内面最下部近傍に永久磁石15を設けてなり、スプールの回転により発光体を点滅させることを特徴とする発光体内蔵スピニングリール。【選択図】図２
2007289015.tif 000002
【特許請求の範囲】
【請求項１】
スピニングリールのローターに設けられた一対のアーム基端部に発光体、ローター頭部に電池、ローター内壁面にリードスイッチを設けると共に、ローターに外挿されるスプールのスカート内面最下部近傍に永久磁石を設けてなり、スプールの回転により発光体を点滅させることを特徴とする発光体内蔵スピニングリール。
【請求項２】
発光体の前面にレンズを装着してなる請求項１記載の発光体内蔵スピニングリール。
【請求項３】
一対のアームに着脱可能に設けられたアームカバーにレンズを装着してなる請求項２に記載の発光体内蔵スピニングリール。
【請求項４】
リードスイッチが、２本のリードスイッチを並列に接続して構成され、かつ、該２本のリードスイッチの内の１方の略中間位置に他方のリードスイッチの端部が位置するように上下位置をずらして配置したことを特徴とする請求項１〜３のいずれか１に記載の発光体内蔵スピニングリール。
【発明の詳細な説明】
【技術分野】
【０００１】
本発明は、魚類のあたりを明確に視認するための発光器を内蔵した釣用のスピニングリールに関するものである。
【背景技術】
【０００２】
従来のスピニングリールに関する先行文献としては、スプール頭部又は側面に化学発光体を収容したものがある（特許文献１参照）。この化学発光体を収容したものでは、化学発光体を発光させてから、化学反応による発光が終了するまでの１回づつの使い切りとなり、使用毎に発光させた化学発光体を装着する必要がある。更に、一旦、発光させた発光体の発光は、常時発光したままであるので、発光が不必要な時には取り外すことが必要である。そして、化学発光体の脱着を容易とするためには、スプール頭部や側面等、装着位置、更には装置の機構が大きく制限されてしまう。そして、発光箇所がスプール頭部や側面の場合、側方向からの視認は確かであるが、後方からの視認は、点滅発光でないこともあって必ずしも充分とはいえない。
【０００３】
また、スプール側面の発光ダイオード等の発光体を磁石と組み合わせ、スプールが回転することにより点滅させる試みもなされている（特許文献２、３参照）。
【０００４】
しかし、スプール側面の発光の場合、スピニングリールの真後方向からは、２箇所（両側面）で発光していることが判るが、横方向から見ると手前の発光は見えるものの、反対側は見えないため、スプールが廻っているのか止まっているのかの判断がつけ難いという難点もある。
【０００５】
また、特許文献２の技術では、開示されているごとく、電源となる電池の装着位置が、スプールのスカート奥の窪みの内面に穿孔して設けるため、電池の負極を９０度曲げないと装着深さが不足する。さらに、電池装着時は、指を使ってある程度容易に差し込めるが、抜き取る場合は、ラジオペンチ等を使用しなくてはならず厄介な作業が要求される。また、装着部位の必然から、種々の細工が大きく制約されるので、例えば、電池の止着を確実にする止着具等を組み込むのが困難であり、そのため、外部からの衝撃を受けると電池がズレる等の現象を起こしやすく、接触不良等のトラブルが発生し易い。また、開示では、３ｍｍの発光ダイオードを、スプールのスカートの外周側面に設けているが、スカートの厚みの制限から、どうしてもスカートの側面から発光ダイオードが突出した形状とならざるを得ず、このため外部からの衝撃を受けると発光ダイオードが破損したり、剥離したりする可能性も大きい。
【０００６】
特許文献３の技術も、スプール側面を発光させるものであるから、上記と同様の欠点が存在する。さらに、電池、発光体、リードスイッチ、音響警報器等の必要部品の大部分が、スプールのスカート内面の奥の方にセットされることから、スプールを交換したい時には、各スプール毎に、電池、発光体、リードスイッチ、音響警報器等の必要部品を装備したものを用意する必要が有る。また、スピニングリールのスプールは、前後動する構造であるため、スプールのスカート内面の奥にセットされたリードスイッチは、スプール軸筒に固定した磁石との間の距離が変化することとなる。よって、両者の間の距離の変化により、感度が変化することを意味する。そして、極端な場合には、発光しない場合も生じ得る。このような無発光を防止するには、強力な大きな磁石を用いればよいが、大型化はどうしても避けたいことから、おのずと制限が生じてしまう。
【０００７】
【特許文献１】特開２００２−１５３１７４号公報
【特許文献２】特開２０００４−２６７１８９号公報
【特許文献３】実開昭５９−３８７７０号公報
【発明の開示】
【発明が解決しようとする課題】
【０００８】
一度発光させると使い切りとなる化学発光体を用いることなく、常時使用可能な発光ダイオード等の発光体を用い、スピニングリールの側方からだけでなく、後方からでも発光が容易に視認しうる発光が望まれている。また、発光させるための電池、発光体、リードスイッチ、音響警報器等の必要部品の設置や取り扱いが不便なため、その解決が望まれており、その解決法が模索されて来たにもかかわらず、使い勝手が良く、堅牢で、しかも安価で、小型のスピニングリールは、いまだ出現するに至っていない。
【０００９】
特に、発光させるのには、磁力で作動するリードスイッチを使用するが、リードスイッチの特性として磁石を近づけても発光しない無作動域が存在する。しかし、従来技術においては、この無作動域についての対策が取られていないので、スプールの前後動により、リードスイッチの無作動域であるガラス管中央部分を磁石が通過した際に、リードスイッチが作動せず、発光しないという問題が解消されていないことから、発光の確実性が劣る結果になっている。
【課題を解決するための手段】
【００１０】
本発明は以上述べた問題点を解決しようとするものであり、次の項目を要点とする。
（１）スピニングリールのローターに設けられた一対のアーム基端部に発光体、ローター頭部に電池、ローター内壁面にリードスイッチを設けると共に、ローターに外挿されるスプールのスカート内面最下部近傍に永久磁石を設けてなり、スプールの回転により発光体を点滅させることを特徴とする発光体内蔵スピニングリールである。
（２）発光体の前面にレンズを装着してなる（１）記載の発光体内蔵スピニングリールである。
【００１１】
（３）一対のアームに着脱可能に設けられたアームカバーにレンズを装着してなる（２）に記載の発光体内蔵スピニングリールである。
（４）リードスイッチが、２本のリードスイッチを並列に接続して構成され、かつ、該２本のリードスイッチの内の１方の略中間位置に他方のリードスイッチの端部が位置するように上下位置をずらして配置したことを特徴とする（１）〜（３）のいずれか１に記載の発光体内蔵スピニングリールである。
【発明の効果】
【００１２】
発光体として発光ダイオード等を用い、何時でも発光させうると共に、一対のアーム基端部にそれぞれ発光体を設けたため、スピニングリールの側方からだけでなく、後方からでも発光が容易に視認しうることを可能とした。また、発光させるための電池の設置を、ローター頭部としたため、脱着を前提としているスプールを取り外すだけで、電池の挿入、取替え等のメインテナンスが容易であることから、取り扱いが便利であり、かつ、これら部品がローター頭部に外挿されるスプールに保護されることになるので、衝撃等の外部の力に対しても信頼性が高く堅牢である。また、スプールのスカート内面の最下部近傍に永久磁石を設けるので、磁石の取り付け個数は自由であり、この数で発光回数を決めることができる。更には、リ−ドスイッチを並列に２個使用し、この２個のリードスイッチの位置関係をずらしたので、リードスイッチ中心部分の無作動域を無くすことに成功しただけでなく、感応領域が広がったため、スプールの前後動による磁石の移動にも充分追随でき、発光の確実性が高まっている。
【００１３】
また、リ−ドスイッチの取り付け位置がローター内壁面であるためアームや、スプールで保護される位置にあるので外力に対する安全性が高い。そして、発光体の前面にレンズを装着して、光を拡散する構成であるので視認度は非常に高い。また、発光体を白色光とし、レンズに着色レンズを使用すれば、発光色を自由に選択しうる。また、夜間、餌付けや釣り針、仕掛けの結びなどの軽作業を行う場合、を発光体の点灯位置まで回転させて静止させておけば、発光体を連続的な点灯状態にすることができるので、容易に作業ができるという効用も有る。
【発明を実施するための最良の形態】
【００１４】
以下、図面により本発明を説明するが、これら図面は、本発明の一実施態様を示すものであるから、これら説明により本発明を制限するものではない。
【００１５】
本発明の実施例として、図１のスピニングリールＡ全体の斜視図に示すように市販のシマノバイオマスターＣ３０００Ｌ（シマノ（株）、商品名）を利用した例を示す。
スピニングリールＡのローター１は、ハンドル２を回転させることで回転して、釣り糸の巻上げを可能とする。スプール１３は、アーム３を除いてローター１の略全体を外から包み込む形で、スプール１３が回転可能に外挿されている。ローター１の基部１ａには、左右に張り出した１対のアーム３を有する。このアーム３の内の１つの先端にはアームローラー２が設けられ、釣り糸を巻き上げる際に、スプール１３の巻取り部１３ａに均一に巻き取るという役割をする。アーム３の基端部３ａの内部に発光ダイオード等の発光体４を埋設することにより発光体４を内蔵したスピニングリールＡとする。
【００１６】
アーム３の基端部３ａとは、ローター１の基部１ａから左右に張り出したアーム３が、前方に屈曲する曲面の頂点近傍の外面をいう。この位置で発光体４を埋設して発光させることにより、スピニングリールＡの側方および後方のどちら側からの視認性も良好となるので最も好ましい。
【００１７】
そして、図４に示すように、発光体４の前面には、光を拡散し、発光が大きく見えるようにするためのレンズ６を設ける。アーム３の基端部３ａ周辺には、アームカバー５が設けられる場合が多いが、その時には、発光体４は、アームカバー５の後方に埋設し、アームカバー５を穿孔してレンズ６を設けるようにする。こうした構造とすることで、発光ダイオード等の発光体４は、アーム３内に埋設され、さらに、発光体４の前部にレンズ６が配置されるので、外部からの衝撃により、破損したり取り付け部分が剥離したりすることを確実に防止できる。
【００１８】
発光体４としては、発光ダイオードが好ましい。この発光ダイオードとしては、白色発光ダイオードを使用することが推奨される。なぜなら、発光体４の前面に取り付けられる光を拡散するレンズ６に着色されたものを用いると視認性がより高まるためである。例えば、１対のアーム３の基端部３ａに内蔵される一方の白色発光ダイオードには、赤の着色レンズ６を用い、他方の白色発光ダイオードには、緑の着色レンズ６を用いるような使い方をすることが出来るので、その視認性を大幅に向上させることが出来る。
【００１９】
次に、電源となる電池７は、図７に例示される電気ウキ、竿先ライ卜用のリチウム電池が良好に使用し得るが、電池７はこれに限定されることはなく、例えば、ボタン電池等も同様に良好に使用することが出来る。図５では、ローター頭部１ｃに、電池７を設置した例を示す。電池の固定を確実で、かつ着脱が簡単に出来るようにするために図５では、正極プレート８、１０と電池支持具１２で挟み込むようにしている。この正極プレート８、１０はステンレス板等の金属を用い、電池支持具１２は、アクリル樹脂板等の合成樹脂板等が利用しうる。図９に示す側面図は、電池７と、正極プレート８、１０、電池支持具１２、１３との固定状態を示す一例であるが、このような設定が好ましい。
【００２０】
また、負極側端子は防水性を持たせた負極側端子挿入孔９ａ，１１ａを有する負極ブロック９、１１に差し込む構造とする。こうした構造にすることで、電池の着脱を容易にし得るとともに、衝撃等による電池の移動を極力防止し、接触不良の発生を抑制する。更に、海水による腐食や、ショ−卜を良好に防止することも可能となる。加えて、上記構造により、指やペンチ等で電池を挟んで、有る程度の力をかけて電池を電池の長さ方向に適当距離スラドさせてやれば、電源の入切も簡単に操作できる。なお、必要により、発光体と共にブザーをも設置したい場合には、このローター頭部１ｃの電池の近傍に設置し結線すれば良い。
【００２１】
図６は、リードスイッチ１４の拡大図であるが、リードスイッチ１４の本体部は損傷を受け易いガラス管であり、そのリードスイッチ１４の略中心部分には、無作動域がある。本発明においては、この無作動域を解消するため、図３に示すように、２本のリ−ドスイッチ１４を並列にし、１方の略中間位置に他方のリードスイッチの端部が位置するように上下位置をずらして配置し、上部端子１４ａ、下部端子１４ｂを設ける。すなわち、片方のリードスイッチ１４のガラス管端部を他方のリードスイッチ１４の無作動域までずらすことでリードスイッチ１４の無作動域を無くすことができる。こうすることにより、無作動域の存在を解消できると共に、リードスイッチ１４が、磁石１５に感応する領域が広がるため、スプール１３の前後動に充分追随できる。このことで、無点灯という現象を確実に防止できる。
【００２２】
リードスイッチ１４は、ローター内壁面１ｂに埋設するが、そのために、必要な高さと深さを削り取って取り付ける。すなわち、ローター内壁面１ｂは、例えば、高さ２０ｍｍ程度、厚み１．５ｍｍ程度ある。これを幅４ｍｍ、高さについては上端、下端にそれぞれ１ｍｍづつ残した１８ｍｍについて、ローター１側面が外側まで貫通しないように削り取り、図３の状態に結線したリードスイッチ１４を埋め込み、エポキシ系樹脂接着剤等で仮止めし、リードスイッチ１４の下部端子１４ｂと発光ダイオード４の正極（アノード）側端子を配線し接合部を半田付けする。
【００２３】
一方、リードスイッチ１４の上部端子１４ａは、正極プレー卜８、負極ブロック９、及び、正極プレート１０、負極ブロック１１を経由し、アーム３内部に取り付けた発光ダイオード４の負極（カソード）側端子に配線し接合部を半田付けする。
【００２４】
これら配線は、上述したように行うが、図示すれば図８のごとくである。そして、全配線部分は、溝を穿って埋め込み、エポキシ接着剤等を用いて埋設することにより、通電を確実なものとし、断線や接触不良、耐水性等の改善がなされるので好ましい。
【００２５】
リードスイッチ１４を作動させるための磁石１５は、φ４×厚み１ｍｍかφ４×厚み１．５ｍｍの永久磁石１５を用いるのが好ましい。磁石１５の取り付け部位としては、スプール１３のスカート１６内面の最下部に、例えば、１８０度離して２個を、両面テープで貼りつけた後、接着剤かテープなどで表面をカバーして接着を確実にするのが好ましい。磁石１５の設置箇所は、スプール１３の回転のバランスを考慮して、対称位置に設けるのが好ましい。また、スイッチを作動させるための磁石１５は、スプール１３のスカート１６内面の最下部に配置させたが、これはスプール１３の前後動する範囲において、リードスイッチ１４の作動範囲からの脱離を避けるのに最も有利であるからである。スプール１３が一周する間の発光回数は、上記磁石１５の取り付け個数によって決めることができる。
【００２６】
スプール１３の一周の間の発光回数は磁石１５の設置個数により決まる。スプール１３に２号のライン２００ｍを巻いた場合で、スプール１３の直径が４．５ｃｍである場合、一周３６０度では、延糸約１４ｃｍとなるので、１８０度の間隔で２箇所では約７ｃｍ、１２０度で３箇所では約４．６ｃｍ、９０度で４箇所では約３．５ｃｍの発光となる。磁石個数を決めれば、発光回数によって延糸距離が判断できるので、発光の状態により魚類の大きさなども把握し得る。
【図面の簡単な説明】
【００２７】
【図１】本発明の発光器内蔵スピニングリールの実施例の斜視図である。
【図２】ローターとスプールの側面の一部断面図である。
【図３】リードスイッチを並列に結線した拡大図である。
【図４】発光ダイオード取り付け部分の拡大図である。
【図５】ローター頭部に電池を設置した状態を示す平面図である。
【図６】リードスイッチを示す拡大正面図である。
【図７】本発明で使用する電池の一例の正面図である。
【図８】本発明で結線の状態を示す配線図である。
【図９】電池の固定状態を示す側面図である。
【符号の説明】
【００２８】
Ａ  スピニングリール
１  ローター
１ａ  ローター基部、１ｂ  ローター内壁面、１ｃ  ローター頭部
２  アームローラー
３  アーム
３ａ  アーム基端部
４  発光体
５  アームカバー
６  レンズ
７  電池
８、９  正極プレー卜
１０、１１  負極ブロック
ｌ２  電池支持具
１３  スプール
１４  リードスイッチ
１５  磁石
１６  スカート
【図１】
2007289015.tif 000003
【図２】
2007289015.tif 000004
【図３】
2007289015.tif 000005
【図４】
2007289015.tif 000006
【図５】
2007289015.tif 000007
【図６】
2007289015.tif 000008
【図７】
2007289015.tif 000009
【図８】
2007289015.tif 000010
【図９】
2007289015.tif 000011